(57)【要約】【課題】  液状内容物を、収納しているレフィル容器部から直接吐出させることにより、安定した吐出動作と、衛生的な使用状況と、そしてレフィル容器部の安全な着脱操作を得ることを目的とする。【解決手段】  収納した液状内容物Ｎの吐出口７を上端に有すると共に、内容物Ｎを吐出するためのピストン１１を内蔵したレフィル容器部１を、ピストン１１を昇降させる繰り上げ機能部１８に組付け、レフィル容器部１と繰り上げ機能部１８との組付けを、ピストン１１に組付く引き下げ片体１３を介することにより、分離可能状態を認識し、繰り上げ機能部１８の待機状態への復帰を簡単に達成することを可能とした。【選択図】図１
2010083551.tif 000002
【特許請求の範囲】
【請求項１】
上端に吐出口を有すると共に、下端部内周面に縮径した突き当たり段部を形成して、液状内容物を収納する収納筒体内に、密摺動して前記内容物を吐出口から押し出すピストンを組付け、該ピストンの下端に、引き下げ片体を係合組付けしたレフィル容器部と、該レフィル容器部の下端部を着脱自在に組付ける本体筒の下端に、上面中央にキー溝棒を起立設した回動ツマミを回動可能に組付け、前記キー溝棒にキー結合して昇降自在に外装すると共に外周面に螺条を刻設して、前記ピストンに押し上げ力を作用させる繰り上げ筒体の上端に、前記引き下げ片体に対して上方から弾性変形して乗り越え係止する係止突片を設け、前記本体筒の上端部に、周方向に配列されて前記繰り上げ筒体に螺合すると共に、該繰り上げ筒体の押し下げ移動により、拡径方向に揺動変位して、前記繰り上げ筒体との螺合を解除する複数の螺合片を有する螺合機能体を組付けた繰り上げ機能部とから成る液状内容物吐出容器。
【請求項２】
螺合機能体を、本体筒に嵌入固定する組付きリングに、複数の螺合片を斜め内方に向けて垂下設し、該各螺合片間にスリットを形成して構成した請求項１に記載の液状内容物吐出容器。
【請求項３】
螺合機能体を、本体筒に嵌入固定する組付きリングに、複数の螺合片を斜め内方に向けて垂下設し、該各螺合片間に軟質弾性材製の伸縮結合片を設けて構成した請求項１に記載の液状内容物吐出容器。
【請求項４】
引き下げ片体を、有底短円筒状の係止筒片の底壁下面中央から棒片状の脚片を垂下設し、前記係止筒片を、ピストンに垂下設された係合筒片に嵌入してアンダーカット結合させ、前記脚片に周設した係止条に、繰り上げ筒体の内周面上端に設けた係止突片を、上方から乗り越え係止させる請求項１〜３のいずれか１項に記載の液状内容物吐出容器。
【請求項５】
レフィル容器部の収納筒体の下端開口部に、底キャップを着脱自在に組付けた請求項１〜４のいずれか１項に記載の液状内容物吐出容器。
【発明の詳細な説明】
【技術分野】
【０００１】
本発明は、液状口紅等の比較的粘度がある液状内容物の吐出容器に関するもので、液状内容物をレフィル状態で取り扱いできるようにしたものである。
【背景技術】
【０００２】
液状内容物を、レフィル状態で取り扱うことができるようにした従来技術として、本体と、液体を収容した減少・回復の体積変化をする容器から成り、本体に弁座部とこれに対して弾発的に当接する弁杆を配置し、弁杆を容器の先端開口部から後方まで延設した容器内弁押棒に接続し、容器の後部を押圧して弁杆を前進させ、これによって弁を開放し、液体を吐出させ、弁座部材に容器と液密に係合する嵌合部を、容器内弁押棒には、容器の先端開口部を密閉する密閉部を設け、弁座部材には、容器と容器内弁押棒との密閉を解除する解除手段を備えた構成のものがある。
【特許文献１】特開２０００−０７０８２８号公報
【０００３】
この従来技術にあっては、レフィル容器部であるカートリッジに収納した内容物を、このカートリッジ側からの操作力により、本体側に設けた弁機能部分を作動させ、これにより内容物の吐出を行う構成とし、これによりカートリッジ側の構成を簡単化することができるようにしている。
【発明の開示】
【発明が解決しようとする課題】
【０００４】
しかしながら、上記した従来技術にあっては、内容物の吐出通路が本体側に形成されると共に、この吐出通路の途中に開閉弁が設けられているので、吐出通路中に常に内容物が残存することになり、このため吐出路の目詰まりとか、残存した内容物の変質等により不衛生となる、と云う問題があった。
【０００５】
また、本体側から使い切ったカートリッジを分離させる際に、本体側に対するカートリッジ自体の螺脱とは別に、カートリッジ側の密閉部に対する、本体側の接続部材の離脱を達成する必要があり、このため分離処理が面倒であると共に、本体側の接続部材が弁機能部分の主要構成部分であるので、弁機能部分を損傷させる恐れがある、と云う問題があった。
【０００６】
そこで、本発明は、上記した従来技術における問題点を解消すべく創案されたもので、液状口紅等の比較的粘度がある液状内容物を、収納しているレフィル容器部から直接吐出させることを技術的課題とし、もって安定した吐出動作と、衛生的な使用状況と、そしてレフィル容器部の安全な着脱操作を得ることを目的とする。
【課題を解決するための手段】
【０００７】
本発明の液状内容物吐出容器の主たる構成は、上端に吐出口を有すると共に、下端部内周面に縮径した突き当たり段部を形成して、液状内容物を収納する収納筒体内に、密摺動して内容物を吐出口から押し出すピストンを組付け、このピストンの下端に、引き下げ片体を係合組付けしたレフィル容器部と、このレフィル容器部の下端部を着脱自在に組付ける本体筒の下端に、上面中央にキー溝棒を起立設した回動ツマミを回動可能に組付け、この回動ツマミに昇降可能に組付いて、ピストンに押し上げ力を作用させる繰り上げ筒体を設け、この繰り上げ筒体に螺合する螺合機能体を、本体筒の上端部に設けた繰り上げ機能部とから構成されている。
【０００８】
繰り上げ機能部の繰り上げ筒体は、回動ツマミのキー溝棒にキー結合して昇降自在に外装し、外周面に螺条を刻設すると共に、上端に、レフィル容器部の引き下げ片体に対して上方から弾性変形して乗り越え係止する係止突片を設けて構成され、螺合機能体は、本体部の上端部に、周方向に配列されて繰り上げ筒体に螺合すると共に、この繰り上げ筒体の押し下げ移動により、拡径方向に揺動変位して、繰り上げ筒体との螺合を解除する複数の螺合片を有するものとなっている。
【０００９】
内容物を収納したレフィル容器部は、ピストンを収納筒体の下端部に位置させているので、このレフィル容器部を繰り上げ機能部の本体筒の上端部に組付けると、繰り上げ筒体の上端面がピストンの下端面に対向すると共に、繰り上げ筒体の係止突片が引き下げ片体に、上方から乗り越え係止する。
【００１０】
この状態から、レフィル容器部の吐出口を開放して、繰り上げ機能部の回動ツマミを回動操作して、繰り上げ筒体を繰り上げると、この繰り上げ筒体はレフィル容器部のピストンを押し上げ、これによりレフィル容器部内から、所望量の内容物を、吐出口から吐出して、使用に供する。
【００１１】
レフィル容器部のピストンが上昇限界位置に達して、内容物を使用し尽した状態となったならば、レフィル容器部を繰り上げ機能部から取り外すが、レフィル容器部の繰り上げ機能部からの取り外しは、ピストンと引き下げ片体を繰り上げた状態のまま、この位置でレフィル容器部の収納筒体を、繰り上げ機能部の本体筒から離脱させ、そのまま引き上げて達成する。
【００１２】
このレフィル容器部の繰り上げ機能部からの取り外しの際、レフィル容器部の引き下げ片体と、繰り上げ機能部の繰り上げ筒体が係止結合したままであるので、繰り上げ機能部に対するレフィル容器部の離脱引き上げに伴って、ピストンが収納筒体に対して突き当たり段部に突き当たるまで下降変位する。
【００１３】
ピストンが突き当たり段部に突き当たると、ピストンの収納筒体に対する下降変位が不能となるが、それでも繰り上げ機能部に対してレフィル容器部を強引に引き上げると、引き上げ片体と繰り上げ筒体の係止突片との係止が解除され、レフィル容器部の繰り上げ機能部からの取り外しが達成される。
【００１４】
このレフィル容器部の取り外しを達成したならば、上昇した状態となっている繰り上げ筒体に押し下げ力を作用させると、この力が螺合機能体の各螺合片に作用して拡径揺動変位させるので、各螺合片と繰り上げ筒体との螺合が解除され、繰り上げ筒体を、回動螺脱操作を要することなく、単純な押し下げ操作で下降限界位置まで押し下げることができる。
【００１５】
この繰り上げ筒体の下降限界位置まで下降変位により、繰り上げ機能部は、新たなレフィル容器部を組付けることのできる待機状態となる。
【００１６】
本発明の別の構成は、上記した主たる構成に加えて、螺合機能体を、本体筒に嵌入固定する組付きリングに、複数の螺合片を斜め内方に向けて垂下設し、この各螺合片間にスリットを形成して構成した、ものである。
【００１７】
螺合機能体を、各螺合片間にスリットを形成して構成したものにあっては、各螺合片の間にスリットを設けたので、各螺合片の揺動変位が行われ易くすることができる。
【００１８】
また、本発明の別の構成は、上記した主たる構成に加えて、螺合機能体を、本体筒に嵌入固定する組付きリングに、複数の螺合片を斜め内方に向けて垂下設し、この各螺合片間に軟質弾性材製の伸縮結合片を設けて構成した、ものである。
【００１９】
螺合機能体を、各螺合片間に軟質弾性材製の伸縮結合片を設けて構成したものにあっては、伸縮結合片により、各螺合片の繰り上げ筒体に対する螺合状態、および各螺合片の拡径揺動変位状態を、適当に規制することができる。
【００２０】
また、本発明の別の構成は、上記した主たる構成に加えて、引き下げ片体を、有底短円筒状の係止筒片の底壁下面中央から棒片状の脚片を垂下設し、係止筒片を、ピストンに垂下設された係合筒片に嵌入してアンダーカット結合させ、脚片に周設した係止条に、繰り上げ筒体の内周面上端に設けた係止突片を、上方から乗り越え係止させる構成とした、ものである。
【００２１】
引き下げ片体を、係止筒片と係止条を有する脚片とから構成したものにあっては、引き下げ片体のピストンに対する係止組付き部分と、繰り上げ筒体に対する係止組付き部分とを、別々に形成することができ、これにより両者の係止力を別々に設定することができる。
【００２２】
また、本発明の別の構成は、上記した主たる構成に加えて、レフィル容器部の収納筒体の下端開口部に、底キャップを着脱自在に組付けた、ものである。
【００２３】
レフィル容器部に底キャップを組付けたものにあっては、収納筒体の下端開口部を底キャップで塞ぐので、レフィル容器部の機能部分である引き下げ片体を、収納筒体内に封止収納することができる。
【発明の効果】
【００２４】
本発明は、上記した構成となっているので、以下に示す効果を奏する。
本発明の液状内容物吐出容器は、内容物を収納しているレフィル容器部から、直接内容物を吐出するので、内容物の吐出通路の目詰まりとか、内容物の残留付着等の不都合の発生がなく、常に良好な吐出動作と、衛生的な使用状況を得ることができる。
【００２５】
また、レフィル容器部を分離した繰り上げ機能部は、レフィル容器部を分離させた後、繰り上げ筒体を単純に押し下げるだけで、そのまま新たなレフィル容器部の組付け可能状態となるので、好ましい取り扱い状況を得ることができる。
【００２６】
さらに、レフィル容器部の繰り上げ機能部からの分離は、引き下げ片体に対する繰り上げ筒体の強引な係止解除により達成されるので、この係止解除に伴う衝撃が、触感として使用者に感知でき、これにより確実な分離動作を得ることができる。
【００２７】
螺合機能体を、各螺合片間にスリットを形成して構成したものにあっては、各螺合片の揺動変位が行われ易くすることができるので、繰り上げ筒体の押し下げを簡単に達成でき、これにより繰り上げ機能部の待機状態への復帰が容易となる。
【００２８】
螺合機能体を、各螺合片間に軟質弾性材製の伸縮結合片を設けて構成したものにあっては、各螺合片の繰り上げ筒体に対する螺合状態、および各螺合片の拡径揺動変位状態を、適当に規制することができるので、螺合機能体の繰り上げ筒体に対する螺合結合を安定して維持できると共に、一定した螺合解除動作を得ることができる。
【００２９】
引き下げ片体を、係止筒片と係止条を有する脚片とから構成したものにあっては、引き下げ片体のピストンに対する係止組付き部分と、繰り上げ筒体に対する係止組付き部分とを、別々に形成することができるので、両者の係止力を別々に設定することができ、これにより繰り上げ筒体の下降動作を利用した、適正な分離動作を得ることができる。
【００３０】
レフィル容器部に底キャップを組付けたものにあっては、レフィル容器部の機能部分である引き下げ片体を、収納筒体内に封止収納することができるので、レフィル容器部を独立したレフィル容器として、安全に取り扱うことができる。
【発明を実施するための最良の形態】
【００３１】
以下、本発明の実施形態例を、図面を参照して説明する。
【００３２】
図示した実施形態例における液状内容物吐出容器（図１参照）は、液状口紅等の比較的粘度がある液状の内容物Ｎを収納するレフィル容器部１と、レフィル容器部１からの内容物Ｎの吐出を行う繰り上げ機能部１８とから構成されている。
【００３３】
レフィル容器部１は、直線円筒状の本体部分の下端部を、突き当たり段部４を介して縮径させて外周面に螺条を刻設して組付き筒片３とした収納筒体２と、この収納筒体２の上端開口部に、組付き筒８により密嵌着し、頂板６の中央に吐出口７を開設した有頂短円筒状の吐出キャップ５と、この吐出キャップ５に組付いて、その栓片１０により吐出口７を密閉する開閉蓋９と、収納筒体２に挿入され、密摺接しながら昇降変位可能に組付き、突き当たり段部４への突き当たりを下降限界位置としたピストン１１と、このピストン１１の下側に係合組付きする引き下げ片体１３とから構成されている。
【００３４】
吐出キャップ５の頂板６上面は、吐出した内容物Ｎを、塗布処理し易い姿勢で位置させるように、平滑面となっており、図示実施形態例の場合は、さらに吐出した内容物Ｎが不正に流下しないように、なだらかな凹曲面となっている。
【００３５】
ピストン１１は、頂板６の下面形状に合わせてドーム状となった頂壁を有する筒体の周囲に、収納筒体２の内周面に密摺接する弾接部分を設け、さらに筒体の下端部を係合筒片１２として構成されている。
【００３６】
引き下げ片体１３は、ピストン１１の係合筒片１２に嵌入して係合する有底短円筒状の係止筒片１４と、この係止筒片１４の底壁下面中央から垂下設された脚片１５とから構成されており、係止筒片１４の外周面には、係合筒片１２とアンダーカット結合する突条が設けられており、脚片１５の外周面には係止条１６が突周設されている。
【００３７】
なお、内容物Ｎを充填し、吐出口７を開閉蓋９で密閉し、そして収納筒体２の下端部に形成した組付き筒片３に底キャップ１７を組付けた状態のレフィル容器部１（図２参照）は、レフィル容器部１の機能部分である引き下げ片体１３を、封止保護した状態となるので、レフィル容器として単品で安全に取り扱うことができる。
【００３８】
繰り上げ機能部１８は、直線円筒形状をし、上端部を、内周面に螺条を刻設して螺合筒部２０とした本体筒１９と、この本体筒１９の下端に回動可能にアンダーカット結合した有底円筒状の回動ツマミ２１と、本体筒１９に挿入組付けされ、本体筒１９および回動ツマミ２１に対して昇降変位可能に組付く繰り上げ筒体２４と、本体筒１９の上端部内に嵌入組付きして、繰り上げ筒体２４に対して係脱可能に螺合する螺合機能体２８とから構成されている。
【００３９】
本体筒１９の上端部の内周面に螺条を刻設した螺合筒部２０は、収納筒体２の下端部の組付き筒片３が螺合組付きする部分となっている。
【００４０】
回動ツマミ２１は、本体筒１９の下端部に回動可能にアンダーカット結合した有底円筒状のツマミ筒２１ａの底壁上面中央から、外周面に２条のキー溝２３（図７および図８参照）を刻設した直線棒状のキー溝棒２２を起立設している。
【００４１】
縦長円筒状をした繰り上げ筒体２４は、その内周面下端部に、キー溝２３に係合するキー２６を設けると共に、外周面全域に、螺合機能体２８が螺合する螺条２５を設け、さらに上端部内周面に、引き下げ片体１３の係止条１６に、弾性変形して乗り越えて上方から係止する係止突片２７を、図示のように、嵌め込み固定を利用して一体的に組付け、斜め下方に向けて突設している。
【００４２】
螺合機能体２８（図１中、Ａ−Ａ線に沿って切断矢視した図７および図８参照）は、本体筒１９に不動に組付く組付きリング３０と、この組付きリング３０から斜め内方に垂下状に連設されると共に、周方向に配列された複数（図示実施例の場合、３個）の螺合片２９と、この螺合片２９の間に形成もしくは設けられたスリット３１もしくは伸縮結合片３２とから構成されている。
【００４３】
各螺合片２９は、その内側面に、繰り上げ筒体２４の螺条２５に螺合する螺条片を有しており、組付きリング３０に対して、弾性変形により拡径方向に揺動変位可能に連結されている。
【００４４】
各螺合片２９の間にスリット３１を形成した実施例（図７参照）にあっては、螺合機能体２８の全体構成が簡単となり、その製作が容易である。
【００４５】
各螺合片２９の間に、エアストマー等の軟質弾性材製の伸縮結合片３２を位置させた実施例（図８参照）にあっては、螺合片２９と組付きリング３０との一体物をインサート材として軟質弾性材料で伸縮結合片３２を射出成形することにより得られ、伸縮結合片３２の弾力で各螺合片２９拡径揺動変位を規制することにより、各螺合片２９の繰り上げ筒体２４に対する螺合動作と、係脱動作とを安定的に得ることができるようにしている。
【００４６】
レフィル容器部１を繰り上げ機能部１８に組付けると、繰り上げ筒体２４の上端面が、ピストン１１の係合筒片１２の下端面に当接すると共に、係止突片２７が係止条１６に対して、乗り越えて上方から係止させる。
【００４７】
この状態から、本体筒１９に対して回動ツマミ２１を回動させて、繰り上げ筒体２４を上昇させると、この繰り上げ筒体２４によりピストン１１が押し上げられて、このピストン１１の押上げ量に応じた量の内容物Ｎを、開放された吐出口７から、吐出キャップ５の頂板６上に吐出する。この際、引き下げ片体１３は、ピストン１１と一緒に上昇変位する。
【００４８】
内容物Ｎの消費が進んで図３に示したように、ピストン１１が上昇限界位置に達すると、レフィル容器部１は、内容物Ｎを使用し尽した状態となる。
【００４９】
レフィル容器部１の繰り出し機能部１８からの分離は、図３の状態から、収納筒体２を本体筒１９から螺脱させてから引上げることにより達成されるが、この際、ピストン１１と繰り上げ筒体２４とが、引き下げ片体１３の係止条１６と係止突片２７とにより係止結合しているので、ピストン１１は収納筒体２に対して下降変位する。
【００５０】
そして、ピストン１１が突き当たり段部４に突き当たる下降限界位置に達した状態で、レフィル容器部１を強く引上げて、係止条１６と係止突片２７との係止を解除して、図４に示すように、レフィル容器部１と繰り上げ機能部１８との分離を達成する。
【００５１】
レフィル容器部１と繰り上げ機能部１８との分離を達成した状態では、図５に示すように、繰上げ機能部１８の繰り上げ筒体２４は、本体筒１９から大きく突き出た状態となっているが、この大きく突き出た繰り上げ筒体２４に、図５の矢印で示した押し下げ力を作用させると、この押し下げ力が、螺条２５から螺合片２９に作用して、各螺合片２９を、弾力に逆らって拡径方向に揺動変位させて、螺条２５から係脱させるので、突き出た繰り上げ筒体２４は、回動ツマミ２１の回動操作を要することなく、単純な押し下げ操作で、図６に示した、下降限界位置まで移動することができる。
【００５２】
なお、図６に示した繰り上げ機能部１８の状態は、図１に示した、レフィル容器部１を組付けることができる状態と同じであるから、新しいレフィル容器部１を組付けることができる待機状態となっている。
【産業上の利用可能性】
【００５３】
以上説明したように、本発明の液状内容物吐出容器は、液状内容物を直接吐出するレフィル容器部の、繰り上げ機能部との着脱取り扱い処理を、簡単に、かつ安全に、そして効率よく行うことができ、レフィル容器を利用した吐出容器として、幅広い利用展開が期待できる。
【図面の簡単な説明】
【００５４】
【図１】本発明の一実施例示す、半縦断面図である。
【図２】図１に示した実施例の、レフィル容器の一例の半縦断面図である。
【図３】図１の実施例の、内容物を使用し尽した状態時の半縦断面図である。
【図４】図１の実施例の、分離動作時の半縦断面図である。
【図５】図１の実施例の、繰り上げ筒体下降変位の半縦断面図である。
【図６】図１の実施例の、繰り上げ機能部待機状態の半縦断面図である。
【図７】図１中、Ａ−Ａ線に沿って切断矢視した、平断面図である。
【図８】図１中、Ａ−Ａ線に沿って切断矢視した、他の平断面図である。
【符号の説明】
【００５５】
１    ；レフィル容器部
２    ；収納筒体
３    ；組付き筒片
４    ；突き当たり段部
５    ；吐出キャップ
６    ；頂板
７    ；吐出口
８    ；組付き筒
９    ；開閉蓋
１０  ；栓片
１１  ；ピストン
１２  ；係合筒片
１３  ；引き下げ片体
１４  ；係止筒片
１５  ；脚片
１６  ；係止条
１７  ；底キャップ
１８  ；繰り上げ機能部
１９  ；本体筒
２０  ；螺合筒部
２１  ；回動ツマミ
２１ａ；ツマミ筒
２２  ；キー溝棒
２３  ；キー溝
２４  ；繰り上げ筒体
２５  ；螺条
２６  ；キー
２７  ；係止突片
２８  ；螺合機能体
２９  ；螺合片
３０  ；組付きリング
３１  ；スリット
３２  ；伸縮結合片
Ｎ    ；内容物
【図１】
2010083551.tif 000003
【図２】
2010083551.tif 000004
【図３】
2010083551.tif 000005
【図４】
2010083551.tif 000006
【図５】
2010083551.tif 000007
【図６】
2010083551.tif 000008
【図７】
2010083551.tif 000009
【図８】
2010083551.tif 000010